(57)【要約】【課題】  歯みがきの目的によって複数本のブラシを使い分けする必要がなく、一本のブラシで通常の歯ブラシとワンタフトブラシの機能を兼ね備え、使い勝手に優れた歯ブラシを提供する。【解決手段】  ハンドル２０と、ハンドル２０と一体に形成されたブラシ部３０とを有し、ブラシ部３０は平面視円形形状に形成されたブラシ台３２と、ブラシ台３２に植設された複数の毛束３４とを有していて、複数の毛束３４のうち、ブラシ台３２の平面中央部分に植設されている中央毛束群３４Ａが、ブラシ台３２の他の部分に植設されている外側毛束群３４Ｂよりも背高寸法かつ硬く形成されていることを特徴とする歯ブラシ１０である。【選択図】図１
0003208795.tif 000002
【実用新案登録請求の範囲】
【請求項１】
ハンドルと、前記ハンドルと一体に形成されたブラシ部とを有し、
前記ブラシ部は平面視円形形状に形成されたブラシ台と、前記ブラシ台に植設された複数の毛束とを有していて、
前記複数の毛束のうち、前記ブラシ台の平面中央部分に植設されている中央毛束群が、前記ブラシ台の他の部分に植設されている外側毛束群よりも背高寸法かつ硬く形成されていることを特徴とする歯ブラシ。
【請求項２】
前記中央毛束群の幅寸法は、前記ブラシ台に連結している前記ハンドルの幅寸法と等しく形成されていることを特徴とする請求項１記載の歯ブラシ。
【請求項３】
前記中央毛束群は前記ハンドルおよび前記ブラシ台の色と同一色であることを特徴とする請求項１または２記載の歯ブラシ。
【請求項４】
前記中央毛束群は、前記毛束が同一円周上に配設されていることを特徴とする請求項１〜３のうちのいずれか一項に記載の歯ブラシ。
【請求項５】
前記中央毛束群は、４本または５本の前記毛束により形成されていることを特徴とする請求項１〜４のうちのいずれか一項に記載の歯ブラシ。
【考案の詳細な説明】
【技術分野】
【０００１】
本考案は歯ブラシに関する。
【背景技術】
【０００２】
近年スメハラ（スメル−ハラスメント）といった言葉があるように、臭いに関するエチケットが重要視されている。このような臭いに関するエチケットとして代表的なものとして口臭対策がある。口臭対策においては、歯みがきを適切に行うことが重要である。歯みがきを適切に行うためには、通常の歯ブラシに加え、ワンタフトブラシ等の製品を用いることが好適であるとされている。このようなワンタフトブラシの一例として、特許文献１に開示されているような形態が提案されている。
【先行技術文献】
【特許文献】
【０００３】
【特許文献１】特開２００８−２７２０３８号公報
【考案の概要】
【考案が解決しようとする課題】
【０００４】
特許文献１に開示されている構成のワンタフトブラシは、単独で用いることが前提の構造になっているため、歯ブラシとワンタフトブラシの二本のブラシを手配する必要がある。それ故、歯みがきの目的に応じて、歯ブラシとワンタフトブラシを使い分けしなければならず、歯ブラシとワンタフトブラシの切り替えが煩雑であるという課題を有していた。
【０００５】
そこで本考案は、歯みがきの目的によって複数本のブラシを使い分けする必要がなく、一本のブラシで通常の歯ブラシとワンタフトブラシの機能を兼ね備え、使い勝手に優れた歯ブラシの提供を目的としている。
【課題を解決するための手段】
【０００６】
上記課題を解決するために本考案者は鋭意研究を行った結果、以下の構成に想到した。すなわち、ハンドルと、前記ハンドルと一体に形成されたブラシ部とを有し、前記ブラシ部は平面視円形形状に形成されたブラシ台と、前記ブラシ台に植設された複数の毛束とを有していて、前記複数の毛束のうち、前記ブラシ台の平面中央部分に植設されている中央毛束群が、前記ブラシ台の他の部分に植設されている外側毛束群よりも背高寸法かつ硬く形成されていることを特徴とする歯ブラシである。
【０００７】
これにより、歯みがきの目的によって複数本のブラシを使い分けする必要がなく、一本のブラシで通常の歯ブラシとワンタフトブラシの機能をいずれも発揮させることができ、歯みがきにおいて使い勝手が良好である。
【０００８】
また、前記中央毛束群の幅寸法は、前記ブラシ台に連結している前記ハンドルの幅寸法と等しく形成されていることが好ましい。
【０００９】
これにより、中央毛束群によるブラッシング対象部分の位置感覚を掴みやすくすることができ、中央毛束群を適切な位置でブラッシングさせることができる。
【００１０】
また、前記中央毛束群は前記ハンドルおよび前記ブラシ台の色と同一色であることが好ましい。
【００１１】
これにより、歯ブラシの外観を良好にすることができる。また、中央毛束群と外側毛束群との区別がつきやすく、中央毛束群のへたり具合の確認が容易で、歯ブラシの交換時期が容易に判断できる。よって、常に適切な歯ブラシで歯みがきを行うことができる。
【００１２】
また、前記中央毛束群は、前記毛束が同一円周上に配設されていることが好ましく、前記中央毛束群は、４本または５本の前記毛束により形成されていることがさらに好ましい。
【００１３】
これにより中央毛束群によるブラッシング効果を向上させることができる。
【考案の効果】
【００１４】
本考案にかかる構成を採用することにより、歯みがきの目的によって複数本のブラシを使い分けする必要がなく、一本のブラシで通常の歯ブラシとワンタフトブラシの機能をいずれも発揮させることができ、歯みがきにおいて使い勝手を良好にすることができる。
【図面の簡単な説明】
【００１５】
【図１】本実施形態における歯ブラシの正面図である。
【図２】本実施形態における歯ブラシの平面図である。
【考案を実施するための形態】
【００１６】
以下、本考案における歯ブラシの実施形態について図面に基づいて具体的に説明する。
【００１７】
本実施形態における歯ブラシ１０は、ハンドル２０と、ハンドル２０に一体成形されたブラシ部３０とを有している。ブラシ部３０は、平面視円形形状に形成されたブラシ台３２の上面に複数の毛束３４が植設されている。それぞれの毛束３４は、ブラシ台３２の平面中央部分に植設されている複数の毛束３４により中央毛束群３４Ａを形成し、ブラシ台３２の中央部分を除く他の部分に植設されている複数の毛束３４により外側毛束群３４Ｂを形成している。なお、本実施形態においては、ＰＢＴ（ポリブチレンテレフタレート）の毛束３４を用いている。
【００１８】
本実施形態における中央毛束群３４Ａは、５本の毛束３４により形成されていて、これら５本の毛束３４は、ブラシ台３２の上面における同一円周上に配設されている。このような中央毛束群３４Ａの形態を採用することにより、中央毛束群３４Ａによるブラッシング効果を高めることができる点において好都合である。
【００１９】
なお、本実施形態では、ブラシ台３２の上面に同一円周上に植設（配設）された５本の毛束３４により中央毛束群３４Ａを構成しているがこの形態に限定されるものではない。４本以下の毛束３４または６本以上の毛束３４により構成された（同一円周上に配設されていなくてもよい）中央毛束群３４Ａを採用することも可能である。
【００２０】
また、中央毛束群３４Ａを形成している毛束３４は、いずれも、外側毛束群３４Ｂを形成している毛束３４よりも硬く形成されている。ここでは、中央毛束群３４Ａの毛束３４のブラシ毛と、外側毛束群３４Ｂの毛束３４とのブラシ毛の径寸法を異ならせることにより毛束３４としての硬さを変えている。具体的には、中央毛束群３４Ａの毛束３４のブラシ毛の太さが８ミルであるのに対し、外側毛束群３４Ｂの毛束３４のブラシ毛の太さを６ミルにしている。
【００２１】
また、中央毛束群３４Ａの毛束３４の高さ寸法を外側毛束群３４Ｂの毛束３４の高さ寸法よりも高く形成している。ここでは、外側毛束群３４Ｂの毛束３４の高さ寸法がブラシ台３２の上面から１１ミリメートルの高さであるのに対して、中央毛束群３４Ａの毛束３４の高さ寸法をブラシ台３２の上面から１３ミリメートルの高さ寸法にしている。
【００２２】
このように中央毛束群３４Ａの毛束３４を外側毛束群３４Ｂの毛束３４よりも硬く背高寸法にすることで、１本の歯ブラシ１０内で硬い部分と柔らかい部分を具備させることができるため、歯みがきをする際におけるブラッシング状態を適宜異ならせることができる点で好都合である。
【００２３】
また、本実施形態の歯ブラシ１０は、中央毛束群３４Ａの毛束３４は、ハンドル２０の色と同一色である。ここでは外側毛束群３４Ｂの毛束３４の色を無色透明にした。また、中央毛束群３４Ａの幅寸法（外径寸法）は、ブラシ台３２に連結しているハンドル２０の幅寸法と等しく形成されているので、使用者が歯みがきを行う際、中央毛束群３４Ａによるブラッシング位置の位置感覚を掴みやすく、適切な位置に適切なブラッシングをすることができる。
【００２４】
以上に、本考案にかかる歯ブラシ１０の実施形態について説明をしたが、本考案の技術的範囲は、以上の実施形態に限定されるものではなく、考案の要旨を変更しない範囲において各種の変更を施した構成であれば、そのような歯ブラシ１０は本考案の技術的範囲に属する。例えば、以上に説明した実施形態にかかる歯ブラシ１０は、中央毛束群３４Ａの幅寸法（外径寸法）をブラシ台３２に連結しているハンドル２０の幅寸法と等しくした形態について説明しているが、中央毛束群３４Ａの幅寸法がブラシ台３２に連結しているハンドル２０の幅寸法と異なっていてもよい。
【００２５】
また、中央毛束群３４Ａの毛束３４の色をハンドル２０の色と同一色にしているが、中央毛束群３４Ａの毛束３４の色をハンドル２０の色と異ならせてもよい。中央毛束群３４Ａの毛束３４の色は、外側毛束群３４Ｂの毛束３４の色と異ならせておくことが好ましいが、ブラシ台３２に植設されているすべての毛束３４の色を同一にすることもできる。
【００２６】
また、本実施形態においては、ＰＢＴ（ポリブチレンテレフタレート）で毛束３４を構成しているが、ナイロン等の他の合成樹脂や動物毛等の他の材料により毛束３４を形成することも可能である。
【符号の説明】
【００２７】
１０  歯ブラシ，
２０  ハンドル，
３０  ブラシ部，
３２  ブラシ台，３４  毛束，３４Ａ  中央毛束群，３４Ｂ  外側毛束群
【図１】
0003208795.tif 000003
【図２】
0003208795.tif 000004